(57)【要約】【課題】従来よりも安全にシリンダー錠を管理することのできるタンブラー方式のシリンダー錠を提供する。【解決手段】本発明は、外筒１と、複数の可動に構成されたタンブラー３及びコード保持機構４、８、９を含む内筒２と、内筒に対する回転位置に応じてコード保持機構によりキーコードが保持されるセット状態とキーコードが変更可能とされるリセット状態とを切り換える状態切換部材１０と、外筒、内筒及び状態切換部材の相互間の回転方向の連結態様を切り換える連結切換機構１３、１４、１５とを具備し、連結切換機構は、変換キーの挿入時には、内筒を外筒に対して回転可能とするとともに状態切換部材を外筒に固定し、通常キーの挿入時には、セット状態では内筒及び状態切換部材を外筒に対して一体に回転可能とし、リセット状態では内筒及び状態切換部材を外筒に固定する。【選択図】図１
2008297696.tif 000002
【特許請求の範囲】
【請求項１】
外筒と、
複数の可動に構成されたタンブラー及び該複数のタンブラーにより設定されたキーコードを保持するコード保持機構を含む内筒と、
前記内筒に対する回転位置に応じて前記コード保持機構により前記キーコードが保持されるセット状態と前記キーコードが変更可能とされるリセット状態とを切り換える状態切換部材と、
前記外筒、前記内筒及び前記状態切換部材の相互間の回転方向の連結態様を切り換える連結切換機構と、
を具備し、
前記連結切換機構は、前記変換キーの挿入時には、前記内筒を前記外筒に対して回転可能とするとともに前記状態切換部材を前記外筒に固定し、通常キーの挿入時には、前記セット状態では前記内筒及び前記状態切換部材を前記外筒に対して一体に回転可能とし、前記リセット状態では前記内筒及び前記状態切換部材を前記外筒に固定することを特徴とするタンブラー方式のシリンダー錠。
【請求項２】
前記連結切換機構は、前記外筒、前記内筒及び前記状態切換部材に対してそれぞれ直接若しくは間接的に係合可能に構成された連結部材を含み、
前記連結部材は、常時前方に向かう付勢力を受けた状態で前記内筒に係合する前方位置と前記外筒に係合する後方位置との間においてキー挿入方向に沿って移動可能に配置され、前記状態切換部材に対しては常時係合するように構成され、
前記変換キーの挿入時においては、前記連結部材が前記変換キーにより押圧されて前記後方位置に配置され、
前記通常キーの挿入時においては、前記セット状態では前記付勢力により前記連結部材が前記前方位置に配置され、前記リセット状態では前記連結部材が前記前方位置と前記後方位置の中間位置に保持されて前記外筒と前記内筒の双方に係合することを特徴とする請求項１に記載のタンブラー方式のシリンダー錠。
【請求項３】
前記内筒には前記セット状態及び前記リセット状態において前記連結部材に対して回転方向に係合する係合構造が設けられ、
該係合構造は、前記セット状態において前記連結部材と回転方向に係合するとともに前記連結部材を前記前方位置に保持し、前記リセット状態において前記連結部材と回転方向に係合するとともに前記連結部材を前記中間位置に保持し、しかも、前記連結部材が前記後方位置に配置されたときに回転方向に係合しないように構成されていることを特徴とする請求項２に記載のタンブラー方式のシリンダー錠。
【請求項４】
前記係合構造には、前記連結部材が前記後方位置に配置されたときに回転方向に係合しない位置に形成された前記内筒の後端面上に形成され、前記セット状態において前記連結部材と嵌合可能な第１の係合凹部と、前記後端面上に形成され、前記リセット状態において前記連結部材と嵌合可能な、前記第１の係合凹部より浅い第２の係合凹部とが設けられることを特徴とする請求項３に記載のタンブラー方式のシリンダー錠。
【請求項５】
前記係合構造には、前記連結部材が前記後方位置に配置されたときに回転方向に係合しない高さで前記内筒の後端面上に突設され、前記セット状態において前記前方位置にある前記連結部材と回転方向に係合し、前記リセット状態において前記連結部材を前記中間位置に保持する第１の係合凸部と、前記連結部材が前記後方位置に配置されたときに回転方向に係合しない高さで前記内筒の後端面上に突設され、前記リセット状態において前記中間位置にある前記連結部材と回転方向に係合する、前記第１の係合凸部より高い第２の係合凸部とが設けられることを特徴とする請求項３に記載のタンブラー方式のシリンダー錠。
【発明の詳細な説明】
【技術分野】
【０００１】
本発明は、錠前を分解せずにキーの変換操作のみによってキーコードを変換することができるタンブラー方式のシリンダー錠に関する。
【背景技術】
【０００２】
従来から、施錠時に、コイルスプリングの弾撥力で複数のディスクタンブラーを内筒から外筒の溝に突出させ内筒が廻らないように構成し、開錠時には、鍵の差し込みによりディスクタンブラーを内筒側に移動させて外筒の溝から退避させ、開錠可能となるようにしたディスクタンブラー錠が周知の技術として存在する。
【０００３】
ところで、特許文献１に開示されているように、逆マスターキー、マスターキー、通常キーのキーコードの変換を錠前を分解する事なく、キーの変換操作のみによってキーコードを変換することができるレバータンブラー方式のシリンダー錠が存在する。すなわち、これは、外筒と、これに回転可能に挿入され複数のタンブラー及び夫々のタンブラーを区画する仕切り板を備えた内筒と、該内筒の一部に配設され外筒方向へ突出するよう付勢されたロッキングバーとを備え、前記各タンブラーは一部が相互に係合可能に配設された第１のタンブラーと第２のタンブラーとからなり、前記第１のタンブラーと第２のタンブラーとの係合する位置を変更する事により前記各タンブラーの解錠位置の変更をすると共に、前記両タンブラーを所定の解錠位置で固定可能な固定プレートが設けられているものである。
【０００４】
そして、キーコード変換を行う場合には、先ず、現在のキーコードに適合した変換キーを挿入し、内筒を変換位置まで１８０度回転させる。内筒を変換位置まで回転させると、第１のタンブラー軸がタンブラー軸ガイド溝にしたがって移動し、第１のタンブラーと第２のタンブラーとの係合が解除される（リセット状態）。この状態で、新たなキーコードの鍵（新たな通常キー）を挿入すると、付勢されていた第２のタンブラーが、前記鍵のキー山の刻みの深さに対応して逆方向に後退する。この様に、長手方向に並んだ複数の第２のタンブラーの位置が、新たなキーコードの刻みの深さに対応して後退する。そして、キーコード変換位置における状態から内筒を元の位置に戻すと、第１のタンブラー軸は下に移動するので、その結果、第１のタンブラーの係合用歯部も下に移動されて、当該係合用歯部と第２のタンブラーの歯部とが噛合する。その結果、第１のタンブラーの係合用歯部と第２のタンブラーの歯部が係合し、新たなキーコードが確定する（セット状態）。
【特許文献１】特開平１１−１１７５８４号公報
【発明の開示】
【発明が解決しようとする課題】
【０００５】
ところで、上記従来のシリンダー錠は、変換キーで旧キーコードをリセットした後に通常キーで新たなキーコードをセットできるように構成されているので、変換キーではリセットするだけでよく、解錠できなくてもよいことから、単一の変換キーで複数のキーコードをリセット可能に構成することが可能であり、賃貸マンションやアパートなどで複数のシリンダー錠を管理する場合には、共通の変換キーで複数のシリンダー錠を管理することで管理を容易に行うことができるという利点がある。
【０００６】
しかしながら、上記の管理方法を採用する場合には、上記共通の変換キーを盗み出したり複製したりして用いることにより、任意の通常キー若しくはその複製キーで複数のシリンダー錠が解錠可能となるため、防犯上の危険が大きいという問題点がある。
【０００７】
そこで、本発明は上記問題点を解決するものであり、従来よりも安全にシリンダー錠を管理することのできるタンブラー方式のシリンダー錠を提供することを目的とする。
【課題を解決するための手段】
【０００８】
上述した課題を解決するため、本発明のタンブラー方式のシリンダー錠は、外筒と、複数の可動に構成されたタンブラー及び該複数のタンブラーにより設定されたキーコードを保持するコード保持機構を含む内筒と、前記内筒に対する回転位置に応じて前記コード保持機構により前記キーコードが保持されるセット状態と前記キーコードが変更可能とされるリセット状態とを切り換える状態切換部材と、前記外筒、前記内筒及び前記状態切換部材の相互間の回転方向の連結態様を切り換える連結切換機構と、を具備し、前記連結切換機構は、前記変換キーの挿入時には、前記内筒を前記外筒に対して回転可能とするとともに前記状態切換部材を前記外筒に固定し、通常キーの挿入時には、前記セット状態では前記内筒及び前記状態切換部材を前記外筒に対して一体に回転可能とし、前記リセット状態では前記内筒及び前記状態切換部材を前記外筒に固定することを特徴とする。
【０００９】
この発明によれば、変換キーが挿入されたときには、連結切換機構により前記内筒が前記外筒に対して回転可能とされるとともに状態切換部材が外筒に固定される（変換時連結態様）ので、セット状態からリセット状態へ、また、リセット状態からセット状態へと切り換えることが可能になる。一方、変換キーの非挿入時には、セット状態では内筒及び状態切換部材が外筒に対して一体に回転可能とされ（通常時連結態様）、リセット状態では内筒及び状態切換部材が外筒に固定される（固定連結態様）ので、セット状態において通常キーが挿入されたときには、セット状態のままで施錠操作及び解錠操作を行うことが可能になるが、リセット状態においては通常キーを挿入しても回転せずセット状態に移行させることはできなくなる。したがって、変換キーが通常キーに対応したものとなるので変換キーが複製された場合でも防犯上の危険が少なく、また、リセット状態にすればシリンダー錠を通常キーでは使用不能とすることができるので、より安全にシリンダー錠を管理することができる。
【００１０】
本発明において、前記連結切換機構は、前記外筒、前記内筒及び前記状態切換部材に対してそれぞれ直接若しくは間接的に係合可能に構成された連結部材を含み、前記連結部材は、常時前方に向かう付勢力を受けた状態で前記内筒に係合する前方位置と前記外筒に係合する後方位置との間においてキー挿入方向に沿って移動可能に配置され、前記状態切換部材に対しては常時係合するように構成され、前記変換キーの挿入時においては、前記連結部材が前記変換キーにより押圧されて前記後方位置に配置され、前記通常キーの挿入時においては、前記セット状態では前記付勢力により前記連結部材が前記前方位置に配置され、前記リセット状態では前記連結部材が前記前方位置と前記後方位置の中間位置に保持されて前記外筒と前記内筒の双方に係合することが好ましい。これによればキー挿入方向に沿って連結部材を僅かに移動させるだけで連結態様を切り換えることができるので、連結切換機構を簡易に構成できるとともに、その小型化を図ることができる。
【００１１】
本発明において、前記内筒には前記セット状態及び前記リセット状態において前記連結部材に対して回転方向に係合する係合構造が設けられ、該係合構造は、前記セット状態において前記連結部材と回転方向に係合するとともに前記連結部材を前記前方位置に保持し、前記リセット状態において前記連結部材と回転方向に係合するとともに前記連結部材を前記中間位置に保持し、しかも、前記連結部材が前記後方位置に配置されたときに回転方向に係合しないように構成されていることが好ましい。これによれば、内筒に設けられた係合構造と連結部材の係合状態によって連結部材のキー挿入方向の前方位置と中間位置が決定されるので、きわめて簡易な構成でもセット状態とリセット状態の間の移行を確実に実現できる。
【００１２】
この場合に、上記係合構造には、前記連結部材が前記後方位置に配置されたときに回転方向に係合しない位置に形成された前記内筒の後端面上に形成され、前記セット状態において前記連結部材と嵌合可能な第１の係合凹部と、前記後端面上に形成され、前記リセット状態において前記連結部材と嵌合可能な、前記第１の係合凹部より浅い第２の係合凹部とが設けられる場合がある。また、上記係合構造には、前記連結部材が前記後方位置に配置されたときに回転方向に係合しない高さで前記内筒の後端面上に突設され、前記セット状態において前記前方位置にある前記連結部材と回転方向に係合し、前記リセット状態において前記連結部材を前記中間位置に保持する第１の係合凸部と、前記連結部材が前記後方位置に配置されたときに回転方向に係合しない高さで前記内筒の後端面上に突設され、前記リセット状態において前記中間位置にある前記連結部材と回転方向に係合する、前記第１の係合凸部より高い第２の係合凸部とが設けられる場合がある。
【発明の効果】
【００１３】
本発明によれば、新たなキーコードに対応した新たな変換キーがなければ新たなキーコードにセットすることができないので、変換キーが個々の通常キーのキーコードに対応したものとすることができ、また、リセット状態で通常キーを使用不能にすることもできるため、従来よりも大幅に安全性を高めることができる。
【発明を実施するための最良の形態】
【００１４】
以下、図面を参照して本発明を実施するための最良の形態を説明する。図１は以下に説明する各実施形態に共通に用いることのできるタンブラー方式のシリンダー錠の分解斜視図である。
【００１５】
本発明に係るタンブラー方式のシリンダー錠は、図１に示すように、外筒１と、これに回転可能に挿入された内筒２と、該内筒２に区画形成された仕切溝２ａに配された複数の揺動可能なタンブラー３、タンブラー３に係合可能としたピニオン４およびスイングプレート５それぞれと、該内筒２の一部に配置され、外筒１方向へ突出するよう押圧されたサイドバー６と、タンブラー３およびピニオン４をタンブラー３の解錠稼働領域を回避した位置で固定可能とする前記スイングプレート５に支持されたスイングギア７と、カムフォロア軸８、ピニオンフォロア軸９と、これらカムフォロア軸８およびピニオンフォロア軸９それぞれの両端部をスライド可能に軸支させるための一対のカム孔１０ａ、１０ｂを備えたリードカム１０とから概ね構成されている。
【００１６】
このとき、タンブラー３とピニオン４は一部が相互に係合可能に配置されており、該係合位置を変更することにより前記タンブラー３の解錠位置を変更すると共に、前記スイングプレート５に支持されたスイングギア７は、一部の（たとえば、キー溝の高い（浅い）部分に対応する）タンブラー３を当該タンブラー３の解錠稼働領域を回避した位置で固定可能としている。このタンブラー３の解錠稼動領域を回避した位置とは、ピニオン４との係合部位を除いたタンブラー３の歯部３ｂの端部近辺を示す。
【００１７】
図１または図６に示すように、外筒１の内壁には、長手方向に沿って例えば１００°間隔の二つの条溝１ａ、１ｂが形成され、後述するサイドバー６の一端が係合されるようにしている。また、内筒２は、両端側面にカムフォロア軸８、ピニオンフォロア軸９それぞれの両端部をスライド可能に軸支させるための一対のカム孔１０ａ、１０ｂを備えてなる略筒状のリードカム１０に挿入され、該リードカム１０自体は外筒１に挿入されている。これらリードカム１０のカム孔１０ａ、１０ｂは、図６（ｃ）に示すように、円周に沿って前後に並設され、共に同じ方向の一端側は若干内側に折曲されている。
【００１８】
図２および図３に示すように、タンブラー３は、略矩形環状に形成され、タンブラー３中央のキー孔の開口一側縁部に、キー溝が係合する半円状の突起部３ａを設け、且つ一端側が外側に向けて若干湾曲しており、この湾曲部側の一部には、歯部３ｂを備えている。そして、図１乃至図４に示すように、これらタンブラー３の例えば１０個を、内筒２に区画形成された１０個の仕切溝２ａそれぞれに内挿し、且つ各タンブラー３の他端側に突出したアーム部３ｃに挿入されている支軸３ｄを内筒２に回動可能に装着することで、各タンブラー３は内筒２の仕切溝２ａ内で支軸３ｄを支点として上下に揺動できるようにしてある。
【００１９】
また、各タンブラー３は、図２、図３および図６に示すように、内筒２に内挿され且つ一端でバネ押さえ板１１によって保持されている圧縮コイルバネＳの他端によってアーム部３ｃ上側を押圧することで内筒２のストッパ壁面Ｖに向けて付勢されている。そして、全タンブラー３の両側には、前記支軸３ｄを介してアーム部３ｃと共に揺動可能とし、且つ圧縮コイルバネＳによって付勢された略コ字枠状の確認タンブラー１２が配されている。
【００２０】
また、図１および図６に示すように、ピニオン４は、１０個のタンブラー３に対応して１０個がピニオンフォロア軸９に軸支され、該ピニオンフォロア軸９の両端はリードカム１０のカム孔１０ｂに沿ってスライド自在に軸支されていることで各タンブラー３の歯部３ｂに対し係脱可能となるように内筒２の仕切溝２ａ内に配されている。そして、各ピニオン４の一端に形成された凹部４ａには、サイドバー６の一側部が係合し、サイドバー６の両端は圧縮コイルバネＳによって外筒１方向に付勢され、前記した外筒１内壁の二つの条溝１ａ、１ｂのいずれかに係合されている。
【００２１】
また、スイングギア７は前記内筒２に軸支されると共に、該スイングギア７の両側に嵌着された略紡錘形の一対のスイングプレート５を介してカムフォロア軸８に連結され、該カムフォロア軸８の両端がリードカム１０のカム孔１０ａに沿ってスライド自在に軸支されることで各タンブラー３の歯部３ｂに対し係脱可能となるように内筒２の仕切溝２ａ内に配されている。すなわち、スイングギア７はその長さ方向に沿って係合爪部７ａを有し、該係合爪部７ａが各タンブラー３の歯車３ｂに係脱可能に係合するようになっている。
【００２２】
ここで、上記のピニオン４、ピニオンフォロア軸９及びカムフォロア軸８は、上記のコード保持機構を構成する。ただし、本発明のコード保持機構としては、複数のタンブラーの解錠位置を規定するキーコードを維持するものであれば、上記従来の構造と同様の保持機構など、他の機構を用いても構わない。また、上記カムフォロア軸８を案内するカム孔１０ａ及び上記ピニオンフォロア軸９を案内するカム孔１０ｂを備えたリードカム１０は、上記状態切換部材に相当する。この状態切換部材についても、本発明はリードカム１０に限定されず、内筒２に対して相対的に回転することでセット状態とリセット状態を切り換えることができるものであればよい。
【００２３】
また、図１および図４に示すように、内筒２の奥端には、連結爪１３（上記連結部材に相当する。）が連結カム１４のバネ収容部１４ｂ内の圧縮コイルバネＳによって前方へ付勢されて回転方向に係合することにより内筒２と一体回転可能に配設されている。また、当該連結爪１３は係合孔１０ｘ及び係合孔１４ａに嵌合することでリードカム１０及び連結カム１４に対し回転方向に結合されている。ここで、先端部が短い通常キーＫ２を差し込んだ場合には、図４に示すように、当該通常キーＫ２によって前記連結爪１３が押されないため、内筒２は連結爪１３の前部係合部１３ａ（図１参照）と係合したままの状態となり、連結爪１３に係合するリードカム１０及び連結カム１４と回転方向に一体化されるので、内筒２・リードカム１０・連結爪１３・連結カム１４は連動して回転する（通常時連結態様）。ただし、連結カム１４の回転規制爪１４ｃ（図９参照）がストッパ板１５中央の半円状の開口１５ａにおける略直線状の回転規制部１５ｂ、１５ｃに規制されるので、内筒２はキーコード変換位置まで回転しない。
【００２４】
内筒２の最後部にある確認タンブラー１２は、図３のリセット状態においては、内筒２後部の一側内壁面に形成された段部に対応してバネ支持突起１２ａが突設され、段部とバネ支持突起１２ａとの間に介挿された圧縮コイルバネＳによって、確認タンブラー１２の端部に設けられた係合突起１２ｂが、ピニオンフォロア軸９とサイドバー６との隙間に係合している。通常キーＫ２の挿入が浅いと確認タンブラー１２が回転しないため、サイドバー６が外筒１の条溝１ａでロックされ、内筒２の回動を阻止する。
【００２５】
キー孔に通常キーＫ２が正常に挿入されると、通常キーＫ２のキー溝で確認タンブラー１２を回転させて、当該確認タンブラー１２の係合突起１２ｂがピニオンフォロア軸９とサイドバー６との隙間から外れる。そして、内筒２自体はキーガイド１８および連結カム１４と一体化して回転可能となる。
【００２６】
なお、図１および図４に示すように、内筒２のキー挿入側（前側）は外筒キャップ１７を介して、中央にキー孔を有するキーガイド１８が外筒１に対し回転可能となるように配される。
【００２７】
一方、図５に示すように、先端部が通常キーＫ２より長く形成されている変換キーＫ１を差し込むと前記連結爪１３が前記付勢力に抗して押圧され、当該連結爪１３の後方係合部１３ｂが連結カム１４の係合孔１４ａより後方へ突出し、ストッパ板１５の上記回転規制部１５ｂ、１５ｃと係合し、Ｃリング状の止め輪１６を介して外筒１に固定された状態となる。また、連結カム１４およびリードカム１０も連結爪１３を介して外筒１に固定される。しかし、内筒２は連結爪１３の前方係合部１３ａとの係合が解除されて、キーコード変換位置まで回転可能となる（変換時連結状態）。
【００２８】
図６（ａ）は通常キーＫ２によって施錠・解錠可能な錠前の通常使用状態の一例を示している。この状態からキーコード変換を行う場合は、以下の操作による。まず、前記通常キーＫ２に代えて先端の長い変換キーＫ１を差し込み、上述のように内筒２を回転可能な状態としてから時計方向へ図６（ｂ）の位置まで（約１００度）回転させると、サイドバー６が図６（ａ）に示す条溝１ａから図６（ｂ）に示す条溝１ｂへ移動して係合すると同時に、図６（ｃ）に示すように、ピニオンフォロア軸９の両端がリードカム１０のカム孔１０ｂの端部まで外方向を時計方向へスライドするため、ピニオン４のタンブラー３の歯部３ｂに対する係合が外れる。
【００２９】
ここで、変換キーＫ１をキー孔から引き抜くと、図６（ｂ）に示すように、タンブラー３は圧縮コイルバネＳの付勢力によって内筒２のストッパ壁Ｖに当接するまで押圧回転されると同時に、スイングギア７はもとより、ピニオン４もタンブラー３の歯部３ｂに対する係合から外れることによってキーコードのリセット状態となる。
【００３０】
この状態で、キー孔に新たなキーコードを有する変換キーＫ１１を差し込み、内筒２を反時計方向に回転させる。図７（ａ）は、この回転途中（キーコード変換直前位置）を示している。ここではサイドバー６は外筒１の２個の条溝１ａと１ｂの略中間部に位置する一方、回転途中のタンブラー３は、その開口一側線部に設けられた突起部３ａと変換キーＫ１１のキー溝の高い部分とが接触（或いは近接）状態にある。
【００３１】
同時に、ピニオンフォロア軸９の両端が、図８（ａ）に示すように、リードカム１０のカム孔１０ｂに沿って外方向へスライドするため、ピニオン４は、図７（ａ）に示すように、タンブラー３の歯部３ｂとの係合から外れた状態となり、一方、スイングギア７のカムフォロア軸８の両端も、リードカム１０のカム孔１０ａに沿って外方向へスライドするため、スイングギア７は、図７（ａ）に示すように、タンブラー３の歯部３ｂとは外れた位置（図では上方）で接触している。
【００３２】
ここで、さらに変換キーＫ１１を反時計方向へ図７（ｂ）に示す位置まで回転させると、ピニオンフォロア軸９の両端が、図８（ｂ）に示すように、リードカム１０のカム孔１０ｂに沿って図８（ａ）と同じ円周上をスライドするため、ピニオン４は、前記同様、タンブラー３の歯部３ｂとの係合から外れた状態を維持し、一方、スイングギア７のカムフォロア軸８の両端は、リードカム１０のカム孔１０ａに沿って内方向へスライドするため、スイングギア７は、その係合爪部７ａがタンブラー３の歯部３ｂ上端と係合する。
【００３３】
このとき、スイングギア７は一歯分だけタンブラー３を反時計方向へ送り込むため、接触していたタンブラー３の突起３ａと変換キーＫ１１とを離間させる。これによって、変換キーＫ１１によるタンブラー３に対する負荷が軽減され、その分タンブラー３の摩耗損傷等を回避することができる。
そして、さらに変換キーＫ１１を反時計方向へ図７（ｃ）に示す位置まで回転させると、ピニオンフォロア軸９の両端が、図８（ｃ）に示すように、リードカム１０のカム孔１０ｂに沿って内方向の終端までスライドするため、ピニオン４は、タンブラー３の歯部３ｂ下端と係合し、一方、スイングギア７のカムフォロア軸８の両端も、リードカム１０のカム孔１０ａに沿って内方向の終端までスライドするため、スイングギア７は、前記図７（ｂ）と同様、その係合爪部７ａがタンブラー３の歯部３ｂ上端と係合しており、同時にサイドバー６も、外筒１の条溝１ａに係合している。
【００３４】
このようにタンブラー３は、当該タンブラー３の解錠稼動領域を回避した位置において、スイングギア７によってキー溝の高い位置（たとえば、ブランクキーの位置）に固定されると共に、このタンブラー３の位置でピニオン４がタンブラー３の歯部３ｂに係合されることによって新たなキーコードが設定される。以降はこのような新たなキーコードに対応したキーによって施錠・解錠が可能となるものである。そして、このように新たなキーコードが設定されたとき、タンブラー３はスイングギア７によってキー溝の高い位置だけで固定されるため、キーおよびタンブラー３の摩耗損傷等を減少させることができる。すなわち、図７に示すタンブラー３は、変換キーのキー溝形状によって反時計方向へスイングギア７と係合しうる位置まで回動し、リセット状態からセット状態へ移行する際にスイングギア７によって上述のように反時計方向へさらに押し上げられることから、突起３ａが上記キー溝と非接触状態となって上記磨耗防止の効果を奏する。ただし、低い（深い）キー溝部分に対応する別のタンブラー３では、反時計方向への回動量が少ないためにスイングギア７とは噛合せず、したがって、キー溝部分とタンブラー３の突起３ａとが接触したままでセット状態へ移行する。
【００３５】
［第１実施形態］
次に、上記のように構成されたシリンダー錠の第１実施形態における上記連結切換機構についてより詳細に説明する。図９はキーコードが設定されたセット状態にある本実施形態を後部側から見た様子を示す背面図、図１０（ａ）は、同セット状態において外筒１、連結カム１４、ストッパ板１５、止め輪１６を取り外した様子を示す背面図、図１０（ｂ）は、同セット状態においてリードカム１０及び連結爪１３をさらに取り外した様子を示す背面図、図１１（ａ）及び（ｂ）は、図１０（ａ）及び（ｂ）と同様の構造をリセット状態についてそれぞれ示す背面図である。
【００３６】
図９及び図１０に示すセット状態では、キーの非挿入時及び通常キーＫ２の挿入時には連結爪１３は押されないのでその後方係合部１３ｂは連結カム１４の係合孔１４ａ内から後方へは突出しない。したがって、通常キーＫ２を回転操作すると内筒２、リードカム１０、連結爪１３及び連結カム１４は外筒１に対して一体に回転する。ここで、通常キーＫ２を正逆回転のうち一方側へ回転操作することにより施錠動作が生じ、他方側へ回転操作することにより解錠動作が生ずるように構成できる。このとき、連結カム１４には上述のように回転規制爪１４ｃが設けられているため、この回転規制爪１４ｃがストッパ板１５の開口１５ａに設けられた回転規制部１５ｂ、１５ｃに当接することで、正逆いずれの回転方向に対しても回転操作範囲が限定される。図示例の場合には正逆いずれの側への回転範囲も約９０度に制限される。すなわち、通常キーＫ２ではセット状態とリセット状態の間の移行に必要な角度より小さな角度位置までしか回転操作できないように構成される。これは、通常時連結態様においてサイドバー６が条溝１ｂに嵌合しないようにするためである。
【００３７】
図４、図５及び図１０（ａ）に示すように、リードカム１０には連結爪１３に対して回転方向に係合する（矩形状の）係合孔１０ｘが設けられ、連結爪１３は当該係合孔１０ｘに対して回転方向に係合し、その前方係合部１３ａが係合孔１０ｘを通して前方へ突出している。そして、図１０（ｂ）に示すように、内筒２の後端面上には（図示矩形状の）係合凹部２ｘが形成されている。そして、上記セット状態においては連結爪１３の前方係合部１３ａが上記係合凹部２ｘに係合することにより、内筒２と連結爪１３とが回転方向に結合される。また、内筒２の後端面上には、上記係合凹部２ｘとは異なる角度で連結爪１３の前方係合部１３ａと回転方向に係合可能な係合凹部２ｙも形成されている。そして、図１１（ａ）及び（ｂ）に示すように、上記リセット状態においては連結爪１３の前方係合部１３ａが上記係合凹部２ｙに係合することにより、内筒２と連結爪１３とが回転方向に結合される。ここで、係合凹部２ｘは深く形成され、係合凹部２ｙはそれより浅く形成されているので、連結爪１３が係合凹部２ｘに係合したときには上記前方位置に配置され、係合凹部２ｙに係合したときにはそれより後方寄りの上記中間位置に配置される。なお、内筒２の後端面及び係合凹部２ｘと係合凹部２ｙは上記係合構造に相当し、係合凹部２ｘは上記第１の係合凹部に相当し、係合凹部２ｙは上記第２の係合凹部に相当する。
【００３８】
図１２（ａ）、（ｂ）及び（ｃ）は、それぞれセット状態におけるキーの非挿入時及び通常キーＫ２の挿入時の様子、セット状態における変換キーＫ１の挿入時の様子、及び、リセット状態における変換キーＫ１の非挿入時及び通常キーＫ２の挿入時の様子を連結爪１３を含む連結切換機構について示す拡大部分断面図である。
【００３９】
図１２（ａ）に示すように、セット状態において変換キーＫ１を挿入していないとき及び通常キーＫ１を挿入したときには、上述のようにリードカム１０及び連結カム１４に係合した連結爪１３はコイルバネＳの弾性力で前方へ付勢されて前方位置に配置され、その前方係合部１３ａが内筒２の係合凹部２ｘに係合する一方で、連結爪１３の後方係合部１３ｂは連結カム１４内に引き込まれていてストッパ板１５の回転規制部１５ｂ、１５ｃと係合しないので、内筒２、リードカム１０及び連結カム１４が回転方向に結合されるとともに、これらが外筒１に対して回転可能な通常時連結態様となる。
【００４０】
また、このセット状態において変換キーＫ１を挿入すると、図１２（ｂ）に示すように、連結爪１３が後方に押されて後方位置に配置され、その前方係合部１３ａが上記係合凹部２ｘから脱出するとともに、後方係合部１３ｂが連結カム１４から後方へ突出してストッパ板１５の回転規制部１５ｂ、１５ｃに規制されるので、連結カム１４、ストッパ板１５が回転方向に結合される一方、内筒２は自由に回転可能とされる変換時連結態様となる。この連結状態では、変換キーＫ１を回転操作すると内筒２とリードカム１０とが相対的に回転するので、図６乃至図８に示すようにタンブラー及びコード保持機構が動作し、当初は条溝１ａに嵌合していたサイドバー６が条溝１ｂに係合する位置まで回転すると、リセット状態になる。
【００４１】
さらに、上記リセット状態において変換キーＫ１を抜き取ると、図１２（ｃ）に示すように、連結爪１３はコイルバネＳの弾性力で前方に移動し、その前方係合部１３ａが内筒２の係合凹部２ｙに係合することにより中間位置（キー挿入方向に沿った上記前方位置と上記後方位置の間の位置）に配置される。このとき、連結爪１３は内筒２、リードカム１０、連結カム１４に係合するだけでなく、その後方係合部１３ｂが連結カム１４内からストッパ板１５側に突出したままとなっているので、ストッパ板１５の回転規制部１５ｂ、１５ｃに規制され、その結果、内筒２、リードカム１０、連結カム１４は全て外筒１に対して回転不能な固定連結態様となる。
【００４２】
次に、以上のように構成された本実施形態の使用方法及び動作について説明する。図４に示すように、通常キーＫ２をキー孔に挿入しても、キーの先端が短く形成されているので、連結爪１３を押すことがない。したがって、内筒２・リードカム１０・連結爪１３・連結カム１４が連動して回転する上記通常時連結態様になるので、タンブラーはコード保持機構によって保持されたままとなり、セット状態がそのまま維持されることから、リセット状態へ移行することはない。なお、本実施形態では上記回転規制爪１４ｃとストッパ板１５の回転規制部１５ｂ、１５ｃによる回転規制によって回転範囲が限定される（プラスマイナス９０度）ので、通常キーＫ２を挿入したときには、条溝１ａに係合していたサイドバー６が条溝１ｂに係合する位置（１００度）まで回転することがないように構成されている。
【００４３】
一方、図５に示すように、変換キーＫ１をキー孔に挿入した場合では、変換キーＫ１は先端が長いため、内筒２を通過して連結爪１３を圧縮コイルバネＳの付勢力に抗して押し込むことができる。これによって連結爪１３は押されて後退し、上記変換時連結態様となるので、変換キーＫ１を用いてキーコード変換位置まで正回転（たとえば、時計方向に回転）させると、上述のような動作手順によりリセット状態に移行させることができる。
【００４４】
上記のようにしてリセット状態に移行した後に変換キーＫ１を引き抜くと、上記のように連結爪１３が前方へ戻って係合凹部２ｙと係合し、中間位置に配置されるので固定連結態様になる。この固定連結態様では内筒２は外筒１に対して回転方向に固定されているので通常キーＫ２を挿入しても何ら回転操作を行うことはできない。したがって、変換キーＫ１を用いてリセット状態にしておけば、通常キーＫ２やその複製キーを所持している者が存在したとしてもシリンダー錠に対して何ら操作を行うことができなくなる。たとえば、施錠状態のままで変換キーＫ１を用いてリセット状態にすることが可能であれば、通常キーＫ１や複製キーを所持する者が入室することを防止できる。また、解錠状態のままで変換キーＫ１を用いてリセット状態にすることが可能であれば、通常キーＫ１や複製キーを所持する者が施錠してしまうことを防止できる。
【００４５】
ここで、新たな変換キーＫ１１が存在する場合には、上記のリセット状態で新たな変換キーＫ１１を挿入し、内筒２を逆回転（たとえば、反時計方向に回転）させることにより、上述のようにタンブラー３とピニオン４との係合位置が変更された後にセット状態に復帰するので、新たなキーコードが設定される。以後は新たなキーコードに対応した新たな通常キーにより施錠・解錠が可能となる。この場合、変換キーと通常キーとを個々に対応したキーコードを有するものとすれば当該シリンダー錠にのみ使用できるものとなるので、変換キーが盗難されたり複製されたりしても、防犯上のリスクを低減できる。
【００４６】
［第２実施形態］
図１３は上記とは異なる第２実施形態のセット状態の連結変換機構を示す背面図（ａ）及び（ｂ）、図１４は同実施形態のリセット状態の連結変換機構を示す背面図（ａ）及び（ｂ）である。なお、図１３（ａ）及び（ｂ）並びに図１４（ａ）及び（ｂ）は上記第１実施形態の図１０及び図１１に対応する図面であり、それぞれ対応する部材を取り外した様子を示す。また、第２実施形態では基本的に連結変換機構以外の構造は第１実施形態と同様に構成できるので、同一部分の図示は省略し、また、以下において同一部分の説明は省略する。
【００４７】
本実施形態では、内筒２′の後端面上に突起２１，２２が突設され、突起２１は突起２２に比べて低く形成されている。また、いずれの突起２１，２２も上記後方位置にある連結爪１３′に対しては回転方向に係合しない高さに設定されている。連結爪１３′は、第１実施形態と同様の後方係合部１３ｂを有するが、前方係合部１３ａが設けられずに前面側は平坦に構成され、さらに、その側縁にはセット状態において上記突起２１をそれぞれ収容する一対の（図示半円状の）切り欠き部１３ａ′が形成されている。
【００４８】
本実施形態では、図１３に示すように、セット状態においては、連結爪１３′に設けられた切り欠き部１３ａ′内に内筒２′の突起２１が収容されて連結爪１３′と回転方向に係合し、突起２２は連結爪１３′と干渉しない位置に設けられている。このとき、連結爪１３′は第１実施形態と同様の付勢力により内筒２′の後端面上に押し付けられ、上記前方位置に配置される。ここで、図示しない変換キーＫ１が挿入されると、第１実施形態と同様に連結爪１３′が後方へ押し込まれ、突起２１，２２に干渉しない位置（後方位置）まで後退するので、内筒２′（の突起２１）と連結爪１３′との係合が外れ、第１実施形態と同様にリセット状態まで移行させることが可能になる。
【００４９】
一方、図１４に示すように、リセット状態においては連結爪１３′が内筒２′の突起２１上に重なった位置に配置されるので、変換キーＫ１を抜き取ると突起２１は上記付勢力に抗して連結爪１３′を保持して上記中間位置に配置する。このとき、突起２１より高い突起２２は連結爪１３′の側縁に係合し、内筒２′と連結爪１３′が回転方向に結合された状態となる。
【００５０】
上記のリセット状態では、上述の新たな変換キーＫ１１を挿入することで再び連結爪１３′が後方へ押し付けられて突起２１，２２の双方に回転方向に係合しない状態とされ、固定連結態様から変換時連結態様へと移行するので、上述と同様にして新たなキーコードのセット状態とすることが可能になる。なお、内筒２の後端面及び突起２１と２２は上記係合構造に相当し、突起２１は上記第１の係合凸部に相当し、突起２２は上記第２の係合凸部に相当する。
【００５１】
以上説明した第１実施形態及び第２実施形態の構成は本発明の実施形態の例示に過ぎず、本発明の要旨を逸脱しない範囲内において種々変更を加え得ることは勿論である。たとえば、上記変換切換機構については、上記の構成と等価な種々の機構を用いることができる。また、上記状態切換部材としては上記リードカムに限らず、内筒に対する相対的回転位置に応じてコード保持機構を動作させるための種々の機構を容易に想到できる。さらに、連結部材１３、１３′と内筒２、２′の上記係合構造については、上記構成に限らず、セット状態とリセット状態においてそれぞれ連結部材が上記前方位置と上記中間位置に配置された状態で回転方向に係合することのできる構成であれば、種々の構造を用いることができる。
【図面の簡単な説明】
【００５２】
【図１】本発明を実施するための最良の形態におけるシリンダー錠の分解斜視図。
【図２】同シリンダー錠のタンブラーとピニオンとの配置関係を説明する一部概略の斜視図。
【図３】同シリンダー錠のタンブラー、ピニオン、スイングギア、確認タンブラーそれぞれの配置関係を説明する一部概略の斜視図。
【図４】同シリンダー錠に通常キーを差し込んだ状態の断面図。
【図５】同シリンダー錠に変換キーを差し込んだ状態の断面図。
【図６】同シリンダー錠の断面図で、（ａ）は通常キーによって施錠・解錠可能な錠前の通常使用状態を示す断面図、（ｂ）は変換キーの挿入・回転・引き抜きによってキーコードのリセット状態を示す断面図、（ｃ）は前記（ｂ）の状態におけるピニオンフォロア軸とカムフォロア軸の位置を示す断面図。
【図７】同じくシリンダー錠の図４Ａ−Ａ断面図で、（ａ）はキーコードの変換前の状態を示す断面図、（ｂ）はキーコードの変換途中を示す断面図、（ｃ）はキーコードの変換終了後新たなキーコードに設定された状態を示す断面図。
【図８】同シリンダー錠の断面図で、（ａ）は図７（ａ）の状態におけるピニオンフォロア軸とカムフォロア軸の位置を示す断面図、（ｂ）は図７（ｂ）の状態におけるピニオンフォロア軸とカムフォロア軸の位置を示す断面図、（ｃ）は図７（ｃ）の状態におけるピニオンフォロア軸とカムフォロア軸の位置を示す断面図。
【図９】シリンダー錠の第１実施形態のセット状態の背面図。
【図１０】第１実施形態のセット状態において外筒、止め輪、ストッパ板及び連結カムを取り外した様子を示す背面図（ａ）、並びに、連結爪及びリードカムをさらに取り外した様子を示す背面図（ｂ）。
【図１１】第１実施形態のリセット状態において外筒、止め輪、ストッパ板及び連結カムを取り外した様子を示す背面図（ａ）、並びに、連結爪及びリードカムをさらに取り外した様子を示す背面図（ｂ）。
【図１２】第１実施形態の連結爪を含む連結切換機構の動作態様を示す縦断面図（ａ）、（ｂ）及び（ｃ）。
【図１３】第２実施形態の連結切換機構の例を示すセット状態の背面図（ａ）及び（ｂ）。
【図１４】第２実施形態の連結切換機構の例を示すリセット状態の背面図（ａ）及び（ｂ）。
【符号の説明】
【００５３】
Ｋ１…変換キー、Ｋ２…通常キー、Ｓ…圧縮コイルバネ、Ｖ…ストッパ壁面、１…外筒、１ａ、１ｂ…条溝、２…内筒、２ａ…仕切溝、３…タンブラー、３ａ…突起部、３ｂ…歯部、３ｃ…アーム部、３ｄ…支軸、４…ピニオン、４ａ…凹部、５…スイングプレート、６…サイドバー、７…スイングギア、７ａ…係合爪部、８…カムフォロア軸、９…ピニオンフォロア軸、１０…リードカム、１０ａ、１０ｂ…カム孔、１０ｘ…係合孔、１１…バネ押さえ板、１２…確認タンブラー、１２ａ…バネ支持突起、１２ｂ…係合突起、１３…連結爪、１３ａ…前方係合部、１３ｂ…後方係合部、１４…連結カム、１４ａ…係合孔、１５…ストッパ板、１５ａ…開口、１５ｂ，１５ｃ…回転規制部、１６…止め輪、１７…外筒キャップ、１８…キーガイド
【図１】
2008297696.tif 000003
【図２】
2008297696.tif 000004
【図３】
2008297696.tif 000005
【図４】
2008297696.tif 000006
【図５】
2008297696.tif 000007
【図６】
2008297696.tif 000008
【図７】
2008297696.tif 000009
【図８】
2008297696.tif 000010
【図９】
2008297696.tif 000011
【図１０】
2008297696.tif 000012
【図１１】
2008297696.tif 000013
【図１２】
2008297696.tif 000014
【図１３】
2008297696.tif 000015
【図１４】
2008297696.tif 000016